(57)【要約】【課題】投射型表示装置において、設置形態に限定されることなしに、フォーカス調整を容易に行うことを課題とする。【解決手段】光源部１１と、該光源部の光を変調する液晶パネル（変調手段）１６と、該液晶パネルにより変調された光を投射する投射レンズ１８と、これらを覆う外筐２を備え、上記投射レンズにより投射される光を外筐の前面から投射する投射型表示装置１であって、上記投射レンズはフォーカスリング（フォーカス調整部）３２及びズームリング（ズーム調整部）３３を有し、上記外筐の前面パネル３に連続した左側面パネル５に操作部４３ｆ、４３ｚが露出したフォーカシング用操作部材４０ｆ及びズーミング用操作部材４０ｚを設け、これら操作部材の操作により上記フォーカスリング及びズームリングの操作が為されるようにしたものである。【選択図】　　　　　図３
2004012973.tif 000002
【特許請求の範囲】
【請求項１】
光源部と、該光源部の光を変調する変調手段と、該変調手段により変調された光を投射する投射レンズと、これらを覆う外筐とを備え、上記投射レンズにより投射される光を外筐の前面から投射する投射型表示装置であって、
上記投射レンズはフォーカス調整部を有し、
上記外筐の前面に連続した右側面又は左側面に操作部が露出した操作部材を設け、
該操作部材の操作により上記フォーカス調整部の操作が為される
ことを特徴とする投射型表示装置。
【請求項２】
上記フォーカス調整部はレンズ鏡筒の外周面に設けられたフォーカスリングであり、
該フォーカスリングの外周面の周方向に複数の歯部が設けられ、
上記操作部材は円盤状又は環状をしており、その外周面の周方向に複数の歯部が設けられ、
該操作部材の歯部と上記フォーカスリングの歯部とが噛合され、
操作部材の外周部の一部を外筐の右側面又は左側面から露出させて上記操作部とした
ことを特徴とする請求項１に記載の投射型表示装置。
【請求項３】
上記投射レンズはズーム調整部を有し、
上記外筐の前面に連続した右側面又は左側面に操作部が露出した操作部材を設け、
該操作部材の操作により上記ズーム調整部の操作が為される
ことを特徴とする請求項１に記載の投射型表示装置。
【請求項４】
上記投射レンズはズーム調整部を有し、
上記外筐の前面に連続した右側面又は左側面に操作部が露出した操作部材を設け、
該操作部材の操作により上記ズーム調整部の操作が為される
ことを特徴とする請求項２に記載の投射型表示装置。
【請求項５】
上記ズーム調整部はレンズ鏡筒の外周面に回転自在に設けられたズームリングであり、
該ズームリングの外周面の周方向に複数の歯部が設けられ、
上記操作部材は円盤状又は環状をしており、その外周面の周方向に複数の歯部が設けられ、
該操作部材の歯部と上記ズームリングの歯部とが噛合され、
操作部材の外周部の一部を外筐の右側面又は左側面から露出させて上記操作部とした
ことを特徴とする請求項３に記載の投射型表示装置。
【請求項６】
上記ズーム調整部はレンズ鏡筒の外周面に回転自在に設けられたズームリングであり、
該ズームリングの外周面の周方向に複数の歯部が設けられ、
上記操作部材は円盤状又は環状をしており、その外周面の周方向に複数の歯部が設けられ、
該操作部材の歯部と上記ズームリングの歯部とが噛合され、
操作部材の外周部の一部を外筐の右側面又は左側面から露出させて上記操作部とした
ことを特徴とする請求項４に記載の投射型表示装置。
【発明の詳細な説明】
【０００１】
【発明の属する技術分野】
本発明は、投射型表示装置に関する。詳しくは、設置場所等による投射型表示装置の向きに関わりなくフォーカシング操作を容易に行うことができるようにする技術に関する。
【０００２】
【従来の技術】
従来から、光源部と該光源部から照射された光の変調を行う変調手段と該変調手段により変調された光を投射レンズによって投射してスクリーンなどに映像の表示を行う投射型表示装置があり、このような投射型表示装置においては投射レンズのフォーカシング（フォーカス調整）を行う必要がある。
【０００３】
フォーカス調整は、例えば、投射レンズを構成するレンズ鏡筒に回転自在に設けられたフォーカスリングを回転することにより行う。
【０００４】
投射レンズのレンズ鏡筒は投射型表示装置の外筐内に配置され、その前端部を外筐の前面パネルに形成した開口から突出させるか、又は前面パネルの開口に対向するように配置するのが一般的である。
【０００５】
レンズ鏡筒の前端部を前面パネルから突出させた投射型表示装置にあっては、その突出させたレンズ鏡筒の前端部に上記フォーカスリングを設けることによって、フォーカシングを容易に行うことができる。
【０００６】
ところで近年、装置の小型化の要請或いはデザイン上の観点から前面パネルの内側にレンズ鏡筒全体を配置する傾向にある。
【０００７】
このように、レンズ鏡筒の全体を外筐内に配置した場合、上記フォーカスリングの操作部を外筐の天板に形成した操作窓を通して操作することができるようにしたものがある。
【０００８】
図１４はそのような従来の投射型表示装置ａの一例を概略的に示すものである。
【０００９】
投射型表示装置ａの外殻を構成する外筐ｂ内にレンズ鏡筒ｃが配置される。
【００１０】
外筐ｂの前面パネルｄにはレンズ鏡筒ｃの前玉レンズｅを外部に臨ませる開口ｆが形成され、上記前玉レンズｅが該開口ｆに近接して配置される。
【００１１】
レンズ鏡筒ｃにはその前端部にフォーカスリングｇが設けられ、該フォーカスリングｇには上方へ突出した操作子ｆが一体に形成されている。
【００１２】
外筐ｂの天板ｉには操作窓ｊが形成されており、該操作窓ｊを通して上記操作子ｆが上方へ向かって突出されている。
【００１３】
従って、投射型表示装置ａにあっては上記操作窓ｊから上方へ突出した操作子ｆを操作することによりフォーカスリングｇを操作することができる。
【００１４】
【発明が解決しようとする課題】
ところで、投射型表示装置ａの設置形態として、床８０に置いて前方の壁８１に投射する形態（図１０参照）、天井８２にその上下を逆さにして吊り下げて前方の壁８１に投射する形態（図１１参照）のほか、タンス８３など所定の高さがあるものの上にその上下を逆さにして置いて前方の壁８１に投射する形態（図１２参照）或いは上下方向の間隔が狭い収納空間８４を有するラック８５に収納した状態のまま前方の壁８１に投射する形態（図１３参照）などがある。
【００１５】
なお、図１０乃至図１３は、本発明投射型表示装置の設置形態を説明するための図面であるが、この図１０乃至図１３を使用してこれらに示した各設置形態で従来の投射型表示装置ａを使用する場合の問題点を以下に説明する。
【００１６】
投射型表示装置ａを床８０に置いて使用する場合（図１０参照）及び天井８２にその上下を逆さにして吊り下げて使用する場合（図１１参照）にあっては、上記外筐ｂの天板ｉから突出された操作子ｆが操作者が操作可能な側に位置するため、フォーカス調整を行うことができるが、タンス８３など所定の高さがあるものの上にその上下を逆さにして置いて使用する場合（図１２参照）或いは上下方向の間隔が狭い収納空間８４を有するラック８５に収納した状態のまま使用する場合（図１３参照）にあっては、フォーカスリングｇの操作子ｆを操作することができない。
【００１７】
したがって、上述した従来の投射型表示装置ａにあっては、設置形態が限定されてしまうという問題がある。
【００１８】
本発明は、投射型表示装置において、設置形態に限定されることなしに、フォーカス調整を容易に行うことができるようにすることを課題とする。
【００１９】
【課題を解決するための手段】
そこで、本発明投射型表示装置は、上記した課題を解決するために、光源部と、該光源部の光を変調する変調手段と、該変調手段により変調された光を投射する投射レンズと、これらを覆う外筐とを備え、上記投射レンズにより投射される光を外筐の前面から投射する投射型表示装置であって、上記投射レンズはフォーカス調整部を有し、上記外筐の前面に連続した右側面又は左側面に操作部が露出した操作部材を設け、該操作部材の操作により上記フォーカス調整部の操作が為されるようにしたものである。
【００２０】
従って、本発明投射型表示装置にあっては、フォーカス調整部の操作部を外筐の前面に連続した右側面又は左側面に設けたので、フォーカス調整を外筐の右側面又は左側面で行う。
【００２１】
【発明の実施の形態】
以下に、本発明投射型表示装置の実施の形態を添付図面を参照して説明する。
【００２２】
図１乃至図８は本発明投射型表示装置の実施の形態を示すものである。
【００２３】
投射型表示装置１は上下方向に扁平な箱状を成す外筐２内に所要の部品及び部材が配置されて成り、外筐２の前面部である前面パネル３には後述する投射レンズの前玉レンズを外部に臨ませる開口４が形成されている（図１参照）。
【００２４】
また、外筐２の左側面パネル５には後述するように投射型表示装置１のフォーカシング及びズーミングを行うための操作部が配置される（図１参照）。
【００２５】
先ず、図２を参照して、本発明投射型表示装置の全体の概要を説明する。
【００２６】
外筐２の一の隅部には光源部１１が配置され、該光源部１１は光源１２とリフレクタ１３を有する（図２参照）。
【００２７】
リフレクタ１３の反射面は回転楕円面に形成され、該反射面の第１焦点位置に光源１２の発光部が位置される（図２参照）。
【００２８】
リフレクタ１３の前方には凹レンズ１４が配置され、該凹レンズ１４の焦点が反射面の第２焦点に位置するようにされる。これによって、光源１２から出射しリフレクタ１３の反射面で反射された光は凹レンズ１４によって光軸に平行な光束として出射される。なお、リフレクタ１３は硬質ガラスで形成された基体の内面にアルミ蒸着等の適宜手段によって反射膜が形成されて成る。また、光源１２には放電ランプが使用されている。
【００２９】
凹レンズ１４から出射された光は２つのダイクロイックミラー１５Ｒ、１５Ｇによって、Ｒ（赤色）、Ｇ（緑色）、Ｂ（青色）の３色の色成分に分離された後変調手段としての液晶パネル１６Ｒ、１６Ｇ、１６Ｂによって各色ごとに変調され、変調された各色の色成分がクロスプリズム１７によって合成されて投射レンズ１８によって外筐２の前面パネル３に設けられた上記開口４から前方の図示しないスクリーンに投射され、これによってスクリーン上に映像が表示される。
【００３０】
すなわち、凹レンズ１４から出射された光は先ずダイクロイックミラー１５Ｒによって赤色成分Ｒが反射され、該反射された赤色成分は全反射ミラー１９によって全反射されて液晶パネル１６Ｒに入射され、該液晶パネル１６Ｒに印加される赤色成分に関する映像信号によって変調された後クロスプリズム１７に入射される（図２参照）。
【００３１】
また、ダイクロイックミラー１５Ｒを透過した光のうち緑色成分Ｇはダイクロイックミラー１５Ｇによって反射されて液晶パネル１６Ｇに入力され、該液晶パネル１６Ｇに印加される緑色成分に関する映像信号によって変調された後クロスプリズム１７に入射される（図２参照）。
【００３２】
さらに、ダイクロイックミラー１５Ｇを透過した青色成分Ｂは全反射ミラー２０、２１で順次全反射された後液晶パネル１６Ｂに入力され、該液晶パネル１６Ｂに印加される青色成分に関する映像信号によって変調された後クロスプリズム１７に入射される（図２参照）。そして、クロスプリズム１７に入力された各色成分Ｒ、Ｇ、Ｂはクロスプリズム１７で合成された後クロスプリズム１７の正面から出射され、そして、投射レンズ１８によって前方へ投射される（図２参照）。
【００３３】
なお、上記光源１２から投射レンズ１８に至るまでの経路には、強度分布を有する放電ランプから出射された光の輝度を液晶パネル１６Ｒ、１６Ｇ、１６Ｂの画面全体に亘って均一にする手段、各種リレーレンズ等種々の目的を有する光学素子が配置されるが、それらは設計上の問題であり、本発明の主題ではないので、図２には主たる構成要素のみを示すに止める。
【００３４】
なお、この実施の形態にあっては、光源１２に放電ランプを使用したものについて説明したが、本発明はこれに限らず、種々の形態のランプ、例えば、各種の白熱ランプ、キセノンランプ、ハロゲンランプ等を使用することができる。
【００３５】
また、この実施の形態にあっては、変調手段に液晶パネルを使用したものについて説明したが、本発明はこれに限らず、種々の形態のライトバルブと称されるもの、例えば、ＧＬＶ（Ｇｒａｔｉｎｇ　Ｌｉｇｈｔ　Ｖａｌｖｅ）、ＤＭＤ（Ｄｉｇｉｔａｌ　ＭｉｃｒｏｍｉｒｒｏｒＤｅｖｉｃｅ）等を使用することができる。
【００３６】
上記投射レンズ１８は、レンズ鏡筒３０内に所要のレンズ（図示は省略する。）が配置されて構成され、その最も前側に前玉レンズ３１が配置されている。
【００３７】
そして、レンズ鏡筒３０の前側部分の外周面には、フォーカスリング３２と該フォーカスリング３２の後方に配置されたズームリング３３とが回転自在に設けられている（図３参照）。
【００３８】
フォーカスリング３２は、これを回転させることにより投射レンズ１８のうちフォーカシングを行う所要のレンズ又はレンズ群を移動させてフォーカシングを行うためのものである（図３参照）。
【００３９】
ズームリング３３は、これを回転させることにより投射レンズ１８のうちズーミングを行う所要のレンズ又はレンズ群を移動させてズーミングを行うためのものである（図３参照）。
【００４０】
フォーカスリング３２にはその外周面の正面形状で見て左側半分のうち上下方向における中心を挟んでほぼ９０°の範囲に亘ってその周方向に複数の歯部３４、３４、・・・が形成されている（図３参照）。
【００４１】
ズームリング３３は上記フォーカスリング３２とほぼ同じ形状に形成されており、その外周面の正面形状で見て左側半分のうち上下方向における中心を挟んでほぼ９０°の範囲に亘ってその周方向に複数の歯部３５、３５、・・・が形成されている（図３参照）。
【００４２】
上記レンズ鏡筒３０の前部と外筐の左側面パネル５との間には上記フォーカスリング３２及びズームリング３３を操作するための各別の操作部材４０ｆ、４０ｚが配置されている（図３参照）。
【００４３】
フォーカスリング３２を操作する操作部材４０ｆをフォーカシング用操作部材といい、ズームリング３３を操作する操作部材４０ｚをズーミング用操作部材という。
【００４４】
フォーカシング用操作部材４０ｆとズーミング用操作部材４０ｚは、ほぼ同じ形状に形成されているため、フォーカシング用操作部材４０ｆについて主に説明する。また、フォーカシング用操作部材及びこれに関する各部の符号には数字の後に「ｆ」を添え字として付し、ズーミング用操作部材及びこれに関する各部の符号には、フォーカシング用操作部材及びこれに関する各部に用いた符号のうち「ｆ」を除いた数字の後に「ｚ」を添え字として付す。これにより、ズーミング用操作部材４０ｚについての説明は省略する。
【００４５】
フォーカシング用操作部材４０ｆはほぼ環状を為す部材からなり、その正面形状で見て左側半分４１ｆの径が右側半分４２ｆの径よりも大きく形成されている（図４参照）。
【００４６】
フォーカシング用操作部材４０ｆの左側半分４１ｆの外周面にはローレット加工が施されて操作部４３ｆとされ、また、右側半分４２ｆの外周面には上記フォーカスリング３２の歯部３４、３４、・・・と同じ形状の複数の歯部４４ｆ、４４ｆ、・・・が形成されている（図４、図７参照）。
【００４７】
このようなフォーカシング用操作部材４０ｆは上記レンズ鏡筒３０の前部と外筐２の左側面パネル５との間に設けられた支持ベース５０に回転自在に支持され、上記右側半分４２ｆの歯部４４ｆ、４４ｆ、・・・が上記フォーカスリング３２の歯部３４、３４、・・・と噛合されている（図４、図７参照）。
【００４８】
フォーカシング用操作部材４０ｆの中心部には円形の被支持孔４５ｆが形成されている。この被支持孔４５ｆは右側半分４２ｆの半径のほぼ半分の半径で形成されており、これにより、フォーカシング用操作部材４０ｆの全体がほぼ環状を為す部材となっている。
【００４９】
支持ベース５０は図示しないシャーシに取り付けられたベース部５１と該ベース部５１の上面から上方へ一体に突出された板状の支持部５２とからなる（図５、図６参照）。
【００５０】
支持部５２はその面方向が上記前面パネル３と平行になるように配置され、開口５３が形成されており、該開口５３の開口縁部のうち左部及び右部には前方へ突出した支持片５４ｌ、５４ｒが、また、開口５３の開口縁部のうち上部及び下部には後方へ突出した支持片５４ｕ、５４ｄがそれぞれ形成されている（図５、図６参照）。
【００５１】
これら支持片５４、５４、・・・は、正面形状で見て上記開口５３とほぼ同じ曲率の円弧状に形成され、それぞれの先端部に外方に突出する向きの係止爪５５、５５、・・・がそれぞれ形成されている（図５、図６参照）。
【００５２】
これら支持片５４、５４、・・・のうち対向するもの同士の外側面を周方向に延長してできる円の曲率は、上記フォーカシング用操作部材４０ｆ及びズーミング用操作部材４０ｚの被支持孔４５ｆ、４５ｚとほぼ同じに形成されている（図７参照）。
【００５３】
そして、前方に突出した２つの支持片５４ｌ、５４ｒをフォーカシング用操作部材４０ｆの被支持孔４５ｆに内嵌させることにより、フォーカシング用操作部材４０ｆが２つの支持片５４ｌ、５４ｒに回転自在に支持される。このとき、２つの支持片５４ｌ、５４ｒをその係止爪５５と５５とを互いに近づく方向にやや撓ませることにより、フォーカシング用操作部材４０ｆを支持片５４ｌ、５４ｒに嵌合することができる（図７参照）。
【００５４】
フォーカシング用操作部材４０ｆの支持片５４ｌ、５４ｒへの嵌合が終了した後、支持片５４ｌ、５４ｒを撓ませていた力を取り除くことにより、上記係止爪５５、５５がフォーカシング用操作部材４０ｆの被支持孔４５ｆの開口縁に係止され、フォーカシング用操作部材４０ｆの前方への抜けが防止される（図７参照）。
【００５５】
また、後方に突出した２つの支持片５４ｕ、５４ｄをズーミング用操作部材４０ｚの被支持孔４５ｚに内嵌させることにより、ズーミング用操作部材４０ｚが２つの支持片５４ｕ、５４ｄに回転自在に支持される。このとき、２つの支持片５４ｕ、５４ｄをその係止爪５５と５５とを互いに近づく方向にやや撓ませることにより、ズーミング用操作部材４０ｚを支持片５４ｕ、５４ｄに嵌合することができる（図７参照）。
【００５６】
ズーミング用操作部材４０ｚの支持片５４ｕ、５４ｄへの嵌合が終了した後、支持片５４ｕ、５４ｄを撓ませていた力を取り除くことにより、上記係止爪５５、５５がズーミング用操作部材４０ｚの被支持孔４５ｚの周縁に係止され、ズーミング用操作部材４０ｚの後方への抜けが防止される（図７参照）。
【００５７】
このように２つの対向する支持片５４ｌと５４ｒ及び５４ｕと５４ｄは、フォーカシング用操作部材４０ｆ及びズーミング用操作部材４０ｚを回転自在に支持する支持軸として機能する。
【００５８】
そして、フォーカシング用操作部材４０ｆ及びズーミング用操作部材４０ｚの被支持孔４５ｆ、４５ｚを可能な限り大きく形成したので、これらを支持する支持軸として機能する支持片５４ｌと５４ｒ及び５４ｕと５４ｄの外径を大きくすることができ、フォーカシング用操作部材４０ｆ及びズーミング用操作部材４０ｚの回転を安定にすることができる。
【００５９】
すなわち、支持軸を大きくすることは、これに回動自在に支持される部材（この例ではフォーカシング用操作部材４０ｆ及びズーミング用操作部材４０ｚ）の外周縁部における軸方向のブレを小さくすることができるからである。
【００６０】
なお、本発明はこのように回転軸の径を大きくしたものに限定されるものでなく、回転軸の径を細いものにすることもでき、この場合、操作部材４０ｆ、４０ｚは円盤状の部材で形成すれば良い。
【００６１】
また、上記支持片５４、５４、・・・に嵌合されたフォーカシング用操作部材４０ｆ及びズーミング用操作部材４０ｚは各支持片５４、５４、・・・の先端に設けられた係止爪５５、５５によりほぼがたつきがない状態で前後方向の位置決めが為されるとともに、その抜け止めが為される。また、上記支持片５４ｌと５４ｒ及び５４ｕと５４ｄの外径を上記被支持孔４５ｆ、４５ｚの内径よりも僅かに大きく形成しておくことにより各支持片５４、５４、・・・と被支持孔４５ｆ、４５ｚの内周面とを弾接させることができ、さらにフォーカシング用操作部材４０ｆ及びズーミング用操作部材４０ｚのガタツキをなくすことができる。
【００６２】
そして、支持片５４ｌ、５４ｒ又は５４ｕ、５４ｄに回転自在に支持された各フォーカシング用操作部材４０ｆ又はズーミング用操作部材４０ｚはその右側半分４２ｆ又は４２ｚに形成された歯部４４ｆ、４４ｆ、・・・又は４４ｚ、４４ｚ、・・・が上記フォーカスリング３２又はズームリング３３に形成された歯部３４、３４、・・・又は３５、３５、・・・にそれぞれ噛合されている（図７参照）。
【００６３】
各フォーカシング用操作部材４０ｆ又はズーミング用操作部材４０ｚの左側部分４１ｆ又は４１ｚの外周面の一部が左側面パネル５に形成された縦長な矩形をした操作窓６から外側に露出されている（図１、図３、図４参照）。
【００６４】
また、操作窓６の横幅は上記２つの操作部材（フォーカシング用操作部材４０ｆ及びズーミング用操作部材４０ｚ）が共に露出できる大きさに形成されている（図３参照）。なお、この操作窓６は各操作部材４０ｆ、４０ｚ毎に対応するように各別に設けるようにしても良い。
【００６５】
フォーカシング用操作部材４０ｆ及びズーミング用操作部材４０ｚはその左側半分４１ｆ、４１ｚの左端が左側面パネル５の外表面とほぼ同一な面内に位置するように、上記操作窓６から露出されている（図３参照）。
【００６６】
左側面パネル５に形成された操作窓６は、その各周縁６ａ、６ａ、・・・が外側に行くに従い広がるようにテーパ状にそれぞれ形成されており、これにより、フォーカシング用操作部材４０ｆ及びズーミング用操作部材４０ｚを操作し易くなっている。
【００６７】
そして、フォーカシング用操作部材４０ｆ又はズーミング用操作部材４０ｚを回転させることにより、上記各フォーカスリング３２又はズームリング３３を回転させて、フォーカシング又はズーミングが行われる。
【００６８】
上記前面パネル３の開口４は、該開口４より一回り大きなレンズカバー６０により開閉される（図１参照）。
【００６９】
レンズカバー６０は、透明な合成樹脂、例えば、ポリカーボネート（ＰＣ：Ｐｏｌｙｃａｒｂｏｎａｔｅ）で形成された板状部材６１と該板状部材６１の表面に形成された半透明な塗膜６２とから成る（図８参照）。この塗膜６２は、これに照射された光のうちほぼ半分の光量が透過するように形成される（図８参照）。
【００７０】
また、レンズカバー６０にあっては塗膜６２を板状部材６１の前玉レンズ３１に対向する面と反対側の面、すなわち、外面に形成したが、これに限らず、塗膜６２を前玉レンズ３１に対向する面（内面）に形成しても良いし、或いは、上記板状部材６１の両面に形成しても良い。
【００７１】
レンズカバー６０は、上記前面パネル３の前方から見て開口４の右斜め上方の位置に設けられた支持軸６３に支持されている（図１参照）。
【００７２】
支持軸６３は図示しない回転機構により所定角度回動するようになっており、この回動により、上記レンズカバー６０は上記開口４を閉塞した位置と開放した位置との間を回動するようになっている（図１参照）。
【００７３】
そして、レンズカバー６０が上記開口４を閉塞した位置にあるときは、上記前玉レンズ３１を保護する。
【００７４】
そして、誤って、或いは開閉機構の故障などによりレンズカバー６０が開口４を閉塞した状態のまま、投射型表示装置１の光源部１１からの光がレンズカバー６０に投射されても、そのうちのほぼ半分の光量は塗膜６２を透過して前方へ出射されるため、レンズカバー６０への蓄熱の原因になる熱エネルギーを低減することができる。
【００７５】
これにより、レンズカバー６０に透過した光エネルギーに相当する分の蓄熱が為されることがなく、よって、不透明な材料で形成した従来のレンズカバーに比べて、高温になることはなく、熱変形することはない。
【００７６】
また、レンズカバー６０を単なる透明部材で形成した場合、開口４を開放した状態か閉塞した状態であるかを一見して判断しにくいが、この実施の形態にかかるレンズカバー６０のように、半透明な塗膜６２を形成しておくことにより、上記開口４を開放している位置にあるのか又は閉塞している位置にあるのかを一見しただけで判別することができ、例えば、レンズカバー６０が開口４を閉塞している状態で投射型表示装置１の電源スイッチを投入してしまうなどの誤操作を防止することができる。
【００７７】
なお、上記実施の形態においては、操作部材４０ｆ、４０ｚの操作部４３ｆ、４３ｚとして、ローレット加工を施したものについて説明したが、本発明はこれに限らず、例えば、図９に示すような操作部であっても良い。
【００７８】
すなわち、操作部材７０は、ほぼ環状を為す部材からなり、その正面形状で見て左側半分７１の径が右側半分７２の径よりも大きく形成され、また、操作部材７０の左側半分７１の外周面であって上下方向のほぼ中央部に左方に向かって突出した操作子７３が設けられており、該操作子７３が操作部材７０の操作部として機能する。
【００７９】
そして、操作部材７０の操作子７３の先端が左側面パネル５に形成され操作窓６から側方へ突出されている。
【００８０】
上記操作部材７０を操作してフォーカシングを行うときは、操作窓６から突出している操作子７３を上方又は下方へ移動させることにより行う。
【００８１】
操作子７３が上方又は下方へ移動されると操作部材７０が回転され、これにより、右側半分７２の歯部７４、７４、・・・がフォーカスリング３２を回転させることになり、フォーカシングが行われる。
【００８２】
また、上記実施の形態においては、操作部材４０ｆ又は４０ｚの歯部４４ｆ、４４ｆ、・・・又は４４ｚ、４４ｚ、・・・とフォーカスリング３２又はズームリング３３の歯部３４、３４、・・・又は３５、３５、・・・とが噛合されるようにしたが、本発明はこれに限らず、これらの間に他の歯車などを介在させ、複数段のギア列により操作部４３ｆ、４３ｚの回転運動をフォーカスリング３２又はズームリング３３に伝達するようにしても良い。
【００８３】
さらに、操作部４３ｆ、４３ｚの操作（運動）をフォーカスリング又はズームリングに伝達する運動伝達機構は上述した歯車伝動機構に限定されるものではなく、他にフリクションホイールなどの摩擦伝動機構やベルト、チェーンなどの捲掛伝動機構を用いることもできる。
【００８４】
図１０乃至図１３は上記投射型表示装置１の設置形態を説明するための概略図である。
【００８５】
図１０は投射型表示装置１を床８０に置いて前方の壁８１に投射する形態を示すものである。
【００８６】
図１１は投射型表示装置１を上下を逆さにして天井８２に吊り下げて前方の壁８１に投射する形態を示すものである。
【００８７】
図１２は投射型表示装置１をその上下を逆さにしてタンス８３など所定の高さがあるものの上に置いて前方の壁８１に投射する形態を示すものである。
【００８８】
図１３は投射型表示装置１を上下方向の間隔が狭い収納空間８４を有するラック８５内に収納した状態のまま前方の壁８１に投射する形態を示すものである。
【００８９】
上述したような各設置形態で上記投射型表示装置１を使用した場合でも、左側面パネル５に設けられた操作部４３ｆ、４３ｚ又は操作子７３が隠れされることがなく、操作者の操作しやすい面に操作部４３ｆ、４３ｚ又は操作子７３を位置させることができるため、操作部４３ｆ、４３ｚ又は操作子７３の操作を容易に行うことができる。
【００９０】
なお、上記した実施の形態において示した各部の具体的な形状乃至構造は、何れも本発明を実施するに当たって行う具体化のほんの一例を示したものに過ぎず、これらによって本発明の技術的範囲が限定的に解釈されることがあってはならないものである。
【００９１】
【発明の効果】
以上に記載したところから明らかなように、本発明投射型表示装置は、光源部と、該光源部の光を変調する変調手段と、該変調手段により変調された光を投射する投射レンズと、これらを覆う外筐とを備え、上記投射レンズにより投射される光を外筐の前面から投射する投射型表示装置であって、上記投射レンズはフォーカス調整部を有し、上記外筐の前面に連続した右側面又は左側面に操作部が露出した操作部材を設け、該操作部材の操作により上記フォーカス調整部の操作が為されることを特徴とする。
【００９２】
したがって、本発明投射型表示装置にあっては、操作部材の操作部を外筐の前面に連続した右側面又は左側面に設けたので、種々な設置形態で投射型表示装置を使用しても、操作部材の操作部が隠れされることがなく、よって、投射型表示装置の設置形態に限定されることなしに、フォーカス調整を容易に行うことができる。
【００９３】
請求項２に記載した発明にあっては、上記フォーカス調整部はレンズ鏡筒の外周面に設けられたフォーカスリングであり、該フォーカスリングの外周面の周方向に複数の歯部を設け、上記操作部材は円盤状又は環状をしており、その外周面の周方向に複数の歯部を設け、該操作部材の歯部と上記フォーカスリングの歯部とを噛合させて、操作部材の外周部の一部を外筐の右側面又は左側面から露出させて上記操作部としたので、レンズ鏡筒と操作部材の操作部とが離れていても、確実にフォーカス調整を行うことができる。
【００９４】
請求項３及び請求項４に記載した発明にあっては、上記投射レンズはズーム調整部を有し、上記外筐の前面に連続した右側面又は左側面に操作部が露出した操作部材を設け、該操作部材の操作により上記ズーム調整部の操作が為されるようにしたので、フォーカス調整の他、ズーム調整を行うことができる。
【００９５】
請求項５及び請求項６に記載した発明にあっては、上記ズーム調整部はレンズ鏡筒の外周面に回転自在に設けられたズームリングであり、該ズームリングの外周面の周方向に複数の歯部を設け、上記操作部材は円盤状又は環状をしており、その外周面の周方向に複数の歯部を設け、該操作部材の歯部と上記ズームリングの歯部とを噛合させ、操作部材の外周部の一部を外筐の右側面又は左側面から露出させて上記操作部としたので、レンズ鏡筒と操作部材の操作部とが離れていても、確実にフォーカス調整及びズーム調整を行うことができる。
【図面の簡単な説明】
【図１】図２乃至図９と共に本発明投射型表示装置の実施の形態を示すものであり、本図は全体の斜視図である。
【図２】投射型表示装置の概要を説明するための全体構成図である。
【図３】レンズ鏡筒の周辺を拡大して示す平面図である。
【図４】レンズ鏡筒の周辺の正面図である。
【図５】支持ベースの前方から見た斜視図である。
【図６】支持ベースの後方から見た斜視図である。
【図７】支持ベースと操作部材とを分離して示す斜視図である。
【図８】レンズカバーの拡大断面図である。
【図９】操作部材の変形例を示す正面図である。
【図１０】図１１乃至図１３と共に本発明の投射型表示装置の設置形態を説明するためのものであり、本図は投射型表示装置を床に置いた状態を示す図である。
【図１１】投射型表示装置を上下を逆さにして天井に吊り下げた状態を示す図である。
【図１２】投射型表示装置をタンスの上に上下を逆さにして置いた状態を示す図である。
【図１３】投射型表示装置を上下方向の間隔が狭い収納空間を有するラックに収納した状態を示す図である。
【図１４】従来の投射型表示装置を示す斜視図である。
【符号の説明】
１…投射型表示装置、２…外筐、５…左側面パネル（左側面）、１１…光源部、１６Ｒ…液晶パネル（変調手段）、１６Ｇ…液晶パネル（変調手段）、１６Ｂ…液晶パネル（変調手段）、１８…投射レンズ、３２…フォーカスリング（フォーカス調整部）、３３…ズームリング（ズーム調整部）、３４…歯部、３５…歯部、４０ｆ…操作部材（フォーカシング用）、４３ｆ…操作部、４４ｆ…歯部、４０ｚ…操作部材（ズーミング用）、４３ｚ…操作部、４４ｚ…歯部、７０…操作部材、７３…操作子（操作部）、７４…歯部
【図１】
2004012973.tif 000003
【図２】
2004012973.tif 000004
【図３】
2004012973.tif 000005
【図４】
2004012973.tif 000006
【図５】
2004012973.tif 000007
【図６】
2004012973.tif 000008
【図７】
2004012973.tif 000009
【図８】
2004012973.tif 000010
【図９】
2004012973.tif 000011
【図１０】
2004012973.tif 000012
【図１１】
2004012973.tif 000013
【図１２】
2004012973.tif 000014
【図１３】
2004012973.tif 000015
【図１４】
2004012973.tif 000016